(57)【要約】【課題】  高い吸込み性能と静音化を両立させた電気掃除機を提供することを目的とする。【解決手段】  排気風を排出する第一の排気口３を有するファン部４、排気風を排出する第二の排気口５を有するモータ部６からなる電動送風機１と、前記電動送風機１の外周の少なくとも一部を覆うケース２０とを備え、前記ケース２０は、前記第一の排気口３から排出される排気の少なくとも一部を前記ケース２０外へ排出する第一の排出口２１と、前記電動送風機１の第二の排気口５から排出される排気の少なくとも一部を前記ケース２０外へ排出する第二の排出口２２とを有するもので、高吸込仕事率と騒音低減および静音化が実現できる。【選択図】  図２
2005065913.tif 000002
【特許請求の範囲】
【請求項１】
排気風を排出する第一の排気口を有するファン部、排気風を排出する第二の排気口を有するモータ部からなる電動送風機と、前記電動送風機の外周の少なくとも一部を覆うケースとを備え、前記ケースは、前記第一の排気口から排出される排気の少なくとも一部を前記ケース外へ排出する第一の排出口と、前記電動送風機の第二の排気口から排出される排気の少なくとも一部を前記ケース外へ排出する第二の排出口とを有する電気掃除機。
【請求項２】
第一の排気口から第一の排出口までの排気風の流路と、第二の排気口から第二の排出口までの排気風の流路とを区画した請求項１記載の電気掃除機。
【請求項３】
第一の排気口から第一の排出口までの排気風の流路、および／または、第二の排気口から第二の排出口までの排気風の流路を、迂回流路とした請求項１または２記載の電気掃除機。
【請求項４】
排気口から排出口までの流路中に、隔壁を設けて、迂回流路を形成する請求項３記載の電気掃除機。
【請求項５】
迂回流路中に防音材を配設した請求項３または４記載の電気掃除機。
【請求項６】
ケースと電動送風機の間の空間に迂回流路を形成するとともに、前記ケースの少なくとも前記迂回流路を形成する部分の形状を、断面略四角状とした請求項３〜５のいずれか１項に記載の電気掃除機。
【発明の詳細な説明】
【技術分野】
【０００１】
本発明は高い吸込み性能と静音化を両立させた電気掃除機に関するものである。
【背景技術】
【０００２】
従来の電気掃除機は、電動送風機は、吸引風を吸引する吸気部を有するファン部と、回転動力を発生させるモータ部から構成される。電気掃除機の吸込仕事率向上のため、圧力損失の高いモータ部を吸引風が通過する量を減少するように、ファンケース周囲には第一の排気口が設けられている。またモ−タ部には第二の排気口が設けられている。
【０００３】
電動送風機の周囲を、前記第一の排気口の下流側で、前記第一の排気口から排出された排気風が集まる連通部を有する区画壁を備え、２分割部品なるケースにて覆い、前記ケースには、前記区画壁の後方かつ、排出口が形成され構成されたのであった。(例えば、特許文献１参照)。
【特許文献１】特開２００１−３４９８９７号公報
【発明の開示】
【発明が解決しようとする課題】
【０００４】
しかしながら、上記構成では、電気掃除機の吸込仕事率向上を行うために、電動送風機のファン側とモ−タ部側にそれぞれ第一、第二の排気口を設けているにもかかわらず、電動送風機を覆うケースには排出口が一箇所しかなく効率が悪いものであった。また、排気の流れに抵抗とならないように排出口を大きくすると吸込仕事率の向上は行えるが、逆に騒音が大きくなってしまうものである。特にファン側から排出される排気は高周波音が高く騒音に大きな影響を与えているものであった。
【０００５】
本発明は上記課題を解決するもので、高い吸込み性能と静音化を両立させた電気掃除機を提供することを目的とする。
【課題を解決するための手段】
【０００６】
上記従来の課題を解決するために本発明は、排気風を排出する第一の排気口を有するファン部、排気風を排出する第二の排気口を有するモータ部からなる電動送風機と、前記電動送風機の外周の少なくとも一部を覆うケースとを備え、前記ケースは、前記第一の排気口から排出される排気の少なくとも一部を前記ケース外へ排出する第一の排出口と、前記電動送風機の第二の排気口から排出される排気の少なくとも一部を前記ケース外へ排出する第二の排出口とを有するもので、電動送風機に設けられた第一、第二の排気口にそれぞれが対応する第一、第二の排出口をケースに設けることで、さらなる高吸込仕事率を実現することが可能で、かつ、それぞれの排気口から排出口に排気が流出することで、ケース内の排気が清流されることにより、排気音さらには電気掃除機の騒音低減がおこなえ静音化が行えるものである。
【発明の効果】
【０００７】
本発明によれば、高い吸込み性能と静音化を両立させた電気掃除機を提供することができる。
【発明を実施するための最良の形態】
【０００８】
第１の発明は、排気風を排出する第一の排気口を有するファン部、排気風を排出する第二の排気口を有するモータ部からなる電動送風機と、前記電動送風機の外周の少なくとも一部を覆うケースとを備え、前記ケースは、前記第一の排気口から排出される排気の少なくとも一部を前記ケース外へ排出する第一の排出口と、前記電動送風機の第二の排気口から排出される排気の少なくとも一部を前記ケース外へ排出する第二の排出口とを有するもので、電動送風機に設けられた第一、第二の排気口にそれぞれが対応する第一、第二の排出口をケースに設けることで、さらなる高吸込仕事率を実現することが可能で、かつ、それぞれの排気口から排出口に排気が流出することで、ケース内の排気が清流されることにより、排気音さらには電気掃除機の騒音低減および静音化が実現できる。
【０００９】
第２の発明は、第一の排気口から第一の排出口までの排気風の流路と、第二の排気口から第二の排出口までの排気風の流路とを区画したもので、ケース内が２分割した空間となり、さらにそれぞれの排気口から排出口に排気が流出することで、ケース内の排気が清流されることにより、排気音さらには電気掃除機の騒音低減および静音化が実現できる。
【００１０】
第３、４の発明は、第一の排気口から第一の排出口までの排気風の流路、および／または、第二の排気口から第二の排出口までの排気風の流路に、隔壁を設けて、迂回流路を形成したもので、隔壁を設け第二の排気口より排出された排気を一旦迂回させることで、排気流路を長くとり排気音を減少させることが、ケース内の限られた空間内でも可能であり電気掃除機本体を大型化することなく騒音低減が実現できる。
【００１１】
第５発明は、迂回流路中に防音材を配設したもので、防音材を設けることによりさらに低騒音化が実現できる。
【００１２】
第６の発明は、ケースと電動送風機の間の空間に迂回流路を形成するとともに、前記ケースの少なくとも前記迂回流路を形成する部分の形状を、断面略四角状としたもので、電動送風機の外形が略円形状をしているのに対し、ケース内の空間を大きく取ることができ、その空間部に排気が流れ込むことで、排気の風速が一旦空間内で減少させることが可能となり、その結果、排気音を減少させることができ、電気掃除機の騒音低減および静音化が実現できる。
【００１３】
以下、本発明の実施の形態について、図面を参照しながら説明する。なお、この実施の形態によりこの発明が限定されるものではない。
【００１４】
（実施の形態１）
本発明の第１の実施の形態について、図１〜図５を用いて説明する。
【００１５】
図１、２において、吸引風を発生させる電動送風機１は、回転することで風を発するインペラ（図示せず）、空気を吸引する吸気口２、前記インペラを覆うケーシング４ａに設けられ、前記インペラが発した風を外部へ排出する第一の排気口３からなるファン部４と、前記インペラの回転動力である電動機を内蔵し、前記電動機を覆うブラケット６ａに設けられ、前記インペラが発した風を外部へ排出する第二の排気口５からなるモータ部６とから構成されている。７は電気掃除機本体で、前記電動送風機１を配置する電動送風機室８、電動送風機１の吸気口２の上流側で、吸気口２に連通する吸込み口９、塵埃を収集する紙袋１０を配置し、前記紙袋１０に連通する吸引口１１を有する集塵室１２にて構成されている。集塵室１２の上方には集塵室１２を密閉状態に保ち、かつ本体に回転自在に保持された集塵室蓋１３が構成されている。
【００１６】
また、集塵室１２内には紙袋１０を保持し、紙袋１０を集塵室１２より取り出す際に紙袋１０と同時に取り出し可能なバスケット１４を有している。次に、１５は吸引口１１を形成し、ホース（図示しない）や吸込み具（図示しない）を電気掃除機本体７に係止する前カバーが構成されている。また、電動送風機室８は、上部から上カバー１６により覆われ構成され、電気掃除機本体７の後方には、電動送風機１より排出される排気口１７が設けられている。次に、電動送風機１には、ファン部４の前方に電気掃除機本体７の吸込み口９とエアータイトを保ち、かつ電動送風機１の振動を電気掃除機本体７に伝えないように軟質にて形成されたサポートゴム１８と、またモータ部６後方には軟質にて形成されたサポートゴム後１９が固定されている。
【００１７】
また、電動送風機全体を覆うように、２分割にて構成されたケース２０を有し、前記サポートゴム後１９は、ケース２０により係合され電動送風機１とケース２０との前後、左右、上下の位置決めを行ない、かつ、電動送風機１の吸引により電動送風機１が前方に移動するのを防止すると共に電動送風機１の振動をケースに伝達することを防止している。
【００１８】
また、ケース２０には、前記第一の排気口３から排出される排気の少なくとも一部を、前記ケース２０外へ排出する第一の排出口２１と、前記電動送風機１の第二の排気口５から排出される排気の少なくとも一部を、前記ケース２０外へ排出する第二の排出口２２が形成されている。第一の排出口２１は、第一の排気口３と対向しない位置に構成されている。また、同様に第二の排出口２２も、第二の排気口５と対向しない位置に構成されている。次に、２３は、ケース２０内にて、第一の排気口３から第一の排出口２１までの排気風の流路と、第二の排気口５から第二の排出口２２までの排気風の流路とを区画するための区画壁である。
【００１９】
区画壁２３は、図３に示すように、電動送風機１の断面外形形状の略円形状に沿って先端部形状が構成され、電動送風機１の外郭に略接しているものである。さらに、第一の排気口３と第一の排出口２１とのケース２０内の流路を流れる排気を迂回させるために、第一の隔壁２４を設けている。前記第一の隔壁２４の電動送風機１の径方向断面形状は、図４に示すように、電動送風機１の断面外形形状の略円形状に沿って先端部形状が構成され、電動送風機１との隙間を略一定に保ち隙間を形成し構成している。
【００２０】
また、同様に、第二の排気口５と第二の排出口２２とのケース２０内の流路を流れる排気を迂回させるために、第二の隔壁２５を設けている。前記第二の隔壁２５の電動送風機１の径方向断面形状は、図５に示すように電動送風機１の断面外形形状の略円形状に沿って先端部形状が構成され、電動送風機１との隙間を略一定に保ち隙間を形成し構成したものである。次に図４に示すように、第一の排気口３から第一の隔壁２４までの間に設けられた空間の第一の迂回流路２６を断面形状が、略四角状となるようにケース２０を形成している。また、同様に図５に示すように第二の排気口５から第二の隔壁２５までの間に設けられた空間の第二の迂回流路２７を、断面形状が略四角状となるようにケース２０を形成している。また図４、５のように前記第一の迂回流路２６と第二の迂回流路２７に防音材２８を設けている。なお、本実施の形態においては、第一の迂回流路２６と第二の迂回流路２７を設けているが、どれか片方でも以下に述べる効果は有している。
【００２１】
以上のように構成された電気掃除機について、以下その動作、作用を説明する。
【００２２】
電動送風機１の吸引風により吸込み具（図示しない）から吸引された塵埃と吸引風は吸引口１１を通過し紙袋１０にて塵埃のみを補修し吸引風のみが電動送風機１の吸気口２に吸引される。電動送風機１に吸引された吸引風は一部が第一の排気口３より排出され、一部はモータ部６を通過しモータ部６を冷却した後に第二の排気口５より排出される。区画壁２３によりケース２０内を区画されているため、基本的には第一の排気口３から放出された排気は第一の排出口２１に、第二の排気口５から排出された排気は第二の排出口２２へと放出される。まず、第一の排気口３から排出された排気はケース２０内の第一の迂回流路２６に放出される。その後第一の隔壁２４と電動送風機１との間に設けられた隙間を経て第一排出口２１よりケース２０外に放出される。
【００２３】
次に、第二の排気口５から排出された排気はケース２０内の第二の迂回流路２７に放出される。その後第二の隔壁２５と電動送風機１との間に設けられた隙間を経て第二の排出口２２よりケース２０外に放出される。それぞれ第一の排出口２１と第二の排出口２２より放出された排気は電気掃除機本体７内を通過し後方に設けられた排気口１７より電気掃除機本体７外に放出されるものである。
【００２４】
このように、第一の排気口３には第一の排出口２１、第二の排気口５には第二の排出口２２とすることと、区画壁２３によりそれぞれの排気区画することで、さらなる高吸込仕事率を実現することが可能で、かつ、それぞれの排気口から排出口に排気が流出することでケース２０内の排気が清流されることにより排気音さらには電気掃除機の騒音低減および静音化が実現できる。
【００２５】
また、第一の排気口３と第二の排気口５より外周方向に放出された排気は一旦、それぞれの第一の迂回流路２６と第二の迂回流路２７に放出される。電動送風機１の断面円形状と比較すると第一の迂回流路２６と第二の迂回流路はそれぞれ断面形状が略四角となっておりケース２０内に大きな空間が設けられるものである。これにより大きな空間に放出された排気は一度風速が低下するため排気音が減少するものである。
【００２６】
また、次にそれぞれの第一の迂回流路２６と第二の迂回流路２７からの排気の流れは、第一の隔壁２４と第二の隔壁２５と電動送風機１との隙間からそれぞれの第一の排出口３と第二の排出口５より放出されるものであるが、それぞれの第一の迂回流路２６と第二の迂回流路２７に放出された排気はケース２０内面に向かうように外周方向に排出されるが次の排気の流れは前に述べたように第一の隔壁２４、第二の隔壁２５と電動送風機１との隙間となるため、外周に向かい排出された排気は次に内周方向に戻り流れる。さらに次は、第一の排出口２１と第二の排出口２２がケース２０の外周面に設けられているために、内周側からまた外周側に流れ、ケース２０外に放出される。このように排気の流れは迂回流路から隙間、隙間から排出口というように２回のＵターンが発生し（図２の矢印にて排気の流れを記載）ケース２０内の限られた空間内で長い排気流路をとることで、排気音が低減できるものである。
【００２７】
また、それぞれの迂回流路内の排気が通る個所に防音材２８を形成することで、電動送風機１より始めて放出される迂回流路に防音材を設けることによりさらに低騒音化が行えるものである。
【００２８】
なお、区画壁２３が電動送風機１の外郭に略接する構成としたが、隙間を設けその隙間に軟質のタイト材を使用しても同様の作用、効果が得られる。また、区画壁２３と電動送風機１との隙間を第一の隔壁２４、第二の隔壁２５と電動送風機１との隙間よりも小さい隙間で構成すれば、区画壁２３と電動送風機１との隙間は通気抵抗が大きくなるために、排気のほとんどが狙いの排気の流れである、第一の隔壁２４、第二の隔壁２５と電動送風機１との隙間に流れ込むため同様の作用、効果が得られる。
【００２９】
また、第一の排気口３と第二の排気口５との排気量は第一の排気口３＜第二の排気口５と言う関係であり、特に第一の排出口２１と第一の隔壁２４と電動送風機１とに設けられた隙間の面積は第一の排気口３から排出される排気量の圧損にならない最小面積にすることで、さらに騒音低減が行えるものである。
【００３０】
また、図２、３、５に示すように区画壁２３と第一の隔壁２４と第二の隔壁２５は電動送風機１の略中心位置程度までの構成で、それより上方には区画を一切行っていないが、本実施の形態では、ケース２０に設けられた排出口が下方に位置するために排気の流れをＵターン上に出来るため効果が得られる。このことより、完全に区画すればさらに本発明の効果が得られることは言うまでもない。
【００３１】
また、電気掃除機本体１の構成で紙袋を使用しないサイクロン方式等でも同様の作用と効果が得られるものである。
【産業上の利用可能性】
【００３２】
以上のように、本発明にかかる電気掃除機は、吸込み性能が高く、低騒音が可能となるので、特に高吸込仕事率を要する高家庭、業務用等の電気掃除機に有用である。
【図面の簡単な説明】
【００３３】
【図１】本発明の実施の形態１を示す電気掃除機の縦断面図
【図２】図１のＡ部拡大図
【図３】図１のＢ−Ｂ断面図
【図４】図１のＣ−Ｃ断面図
【図５】図１のＤ−Ｄ断面図
【符号の説明】
【００３４】
１  電動送風機
３  第一の排気口
４  ファン部
５  第二の排気口
６  モータ部
７  電気掃除機本体
２０  ケース
２１  第一の排出口
２２  第二の排出口
２３  区画壁
２４  第一の隔壁
２５  第二の隔壁
２６  第一の迂回流路
２７  第二の迂回流路
２８  防音材
【図１】
2005065913.tif 000003
【図２】
2005065913.tif 000004
【図３】
2005065913.tif 000005
【図４】
2005065913.tif 000006
【図５】
2005065913.tif 000007